(57)【要約】【課題】簡単な構成の透過型のＬＣＤパネルにより実用的な視認性を有し、第三者に裏側から表示内容を見られること及び背景がＬＣＤパネルを通して見えることを防止した折畳み式携帯電話機を提供する。【解決手段】折畳み式の筺体の一方に主表示部と副表示部の２つの表示部を有し、副表示部が主表示部の背面に設置される構造を有する折畳み式携帯電話機であって、主表示部と副表示部において情報を表示する為のＬＣＤパネル２０３を共用し、ＬＣＤパネルの表側及び裏側近傍において、主表示部の視認用と副表示部の視認用に別々に設置され、且つ、独立して制御できる導光板を使用した主ライトユニット２０２及び副ライトユニット２０４を有する。ユーザが携帯電話機の筺体を開いて主表示部１０４の表示内容を見る場合、主ライトユニット２０２の電源をＯＦＦにし、副ライトユニット２０４の電源をＯＮにする。また、携帯電話機を閉じた状態で副表示部１０５を見る場合は、主ライトユニット２０２の電源をＯＮにし、副ライトユニット２０４の電源をＯＦＦにする。【選択図】        図２
2005184147.tif 000002
【特許請求の範囲】
【請求項１】
折畳み可能な筺体の少なくとも１つの筺体内部に前面側及び背面側に対する共用の表示パネルを有する折畳み式携帯端末であって、前記表示パネルは、単一の全透過型のＬＣＤパネルでなり、前記ＬＣＤパネルの前面側及び背面側にそれぞれバックライト用の導光板を備えることを特徴とする折畳み式携帯端末。
【請求項２】
前記ＬＣＤパネルの少なくとも背面側に光透過特性を制御可能なデバイスを備えることを特徴とする請求項１記載の折畳み式携帯端末。
【請求項３】
前記筺体の前面側及び背面側に前記ＬＣＤパネルの表示開口用のスクリーンを備えることを特徴とする請求項１又は２記載の折畳み式携帯端末。
【請求項４】
前記スクリーンは、前記導光板を兼用してなることを特徴とする請求項３記載の折畳み式携帯端末。
【請求項５】
前記導光板によるバックライトの発光又は消光を筺体の折り畳み操作又は操作スイッチにより制御可能とすることを特徴とする請求項１ないし４のいずれかの請求項記載の折畳み式携帯端末。
【請求項６】
前記光透過特性を制御可能なデバイスによる光透過度を筺体の折り畳み操作又は操作スイッチにより制御可能とすることを特徴とする請求項１ないし５のいずれかの請求項記載の折畳み式携帯端末。
【発明の詳細な説明】
【技術分野】
【０００１】
本発明は携帯端末の表示に関し、特に、筺体の表と裏の両方から表示内容を確認できる折畳み式携帯端末に関する。
【背景技術】
【０００２】
最近の携帯電話機は多くの機種が折り畳み式の構造を有し、その殆どが折り畳んだ状態でも視認可能なように前面側に設置した主表示部に加えて背面側の位置に設置した小さな副表示部を有している。
【０００３】
図７は従来の折畳み式携帯電話機の外観を示す図である。この種の携帯電話機では折畳み部分（ヒンジ部）を境にした片方の筺体ユニットに表示部を設けており、折り畳んだ時に内側となる前面に主表示部７０１を有し、背面には副表示部７０２を有している（特許文献１、２参照）。
【０００４】
また、折畳み式携帯電話機の一方の筺体ユニットの前面側及び背面側にそれぞれ透明な正面側スクリーンと背面側スクリーンを設け、当該各スクリーンの間に１枚の液晶表示板を保持した構成とすることが提案されている（特許文献２参照）。
【０００５】
【特許文献１】特開２００３−１８８９５９号公報
【特許文献２】特開２００１−３４５８９８号公報
【発明の開示】
【発明が解決しようとする課題】
【０００６】
通常の折畳み式携帯電話機では２つの表示部をなす主表示部と副表示部にそれぞれ専用のＬＣＤパネルと専用のＬＣＤドライバを内蔵しており、主表示部と副表示部の大きさの違いからＬＣＤドライバが異なり、制御ソフトウェアも表示モードが異なることから個別のものを採用する必要があり構成部品が増加することに加えてコーディング等も増加していた。また、片方の筺体ユニットに２つのＬＣＤパネルを内蔵させるため携帯電話機の筺体が厚くなるという問題もあった。更に、表示画面の大型化により主表示部４０１と副表示部４０２の表示面積が拡大する傾向にあり大型のＬＣＤパネル等を使用する必要があるが、ＬＣＤパネルは最も高価な構成部品のひとつであり、主表示部用及び副表示部のそれぞれのＬＣＤの大型化は製品原価の増加要因となる。
【０００７】
この点、引用文献２記載の１枚の液晶表示板により携帯電話機の正面側及び背面側の表示を行う構成は好適であり、液晶表示器と正面側スクリーンおよび背面側スクリーンの間の空間のいずれか一方にバックライトを選択的に照射することも考えられるが、この携帯電話機には実用的な視認性を得るための肝心の光源デバイス等の具体的な構成が皆無であり、背面からＬＣＤパネルを通過して目に届く光は少ないので通常の使用形態で実用性の良い携帯電話機の表示は実現できない。また、液晶の裏に背景等が映り込むので非常に見づらいのみならず、背後から第三者へ表示内容が漏洩するという点でも問題がある。
【０００８】
以上のように従来の折畳み式携帯端末では、ＬＣＤパネルの大型化、ソフトウェアの複雑化、部品点数の増加をきたし製品の信頼性においてマイナス要因を有し、実用的な視認性の実現において問題がある。
【０００９】
（目的）
本発明の目的は、以上の問題点を解決するものであり、実用的な視認性を有する光源デバイスを備えた折畳み式携帯端末を提供することにある。  
本発明の他の目的は、第三者に裏側から表示内容を見られることを防止するとともに、実用的な視認性が得られるようにした折畳み式携帯端末を提供することにある。  
本発明の他の目的は、背景がＬＣＤパネルを通して見えることを防止し、実用的な視認性が得られるようにした折畳み式携帯端末を提供することにある。
【課題を解決するための手段】
【００１０】
本発明の折畳み式携帯端末は、１枚の通常のＬＣＤパネル（表示用液晶パネル）により表と裏の両方から表示内容を視認することを可能とする折畳み式携帯端末に関し、ＬＣＤパネルを１つにすることで、容易に副表示部の大画面化、携帯端末の筺体の薄型化、軽量化が図れ、デザイン設計の自由度を高め、加えて携帯端末のコストを削減し商品力の向上を図ることを可能とする。  
本発明の折畳み式携帯端末は、独立した光源を設け表裏の何れからも視認可能とし、昼、夜間をとわず視認性を高め、光源デバイスの設置によっても装置全体をコンパクト化可能に光源をスクリーンと一体化する。具体的には光源デバイスとして発光体からの光の導光板を使用する。導光板は樹脂で製作され板状である為、スクリーンの機能を兼ね備えさせることが可能である。
【００１１】
このことから、光源デバイスの搭載自体は装置全体のコンパクト化に大きな影響を与えることなく、特殊なＬＣＤデバイスを使用すること無く視認性の高い表・裏面表示を実現できる。さらに、背景等の映りこみ対策として背面となる側からの透過光を抑制するデバイスを搭載し、視認性の一層の向上を図る。
【００１２】
より具体的には、主表示部と副表示部の２つの表示部を有し、副表示部が主表示部の背面に設置される構造を有する折畳み式携帯電話機において、主表示部と副表示部において情報を表示する為のＬＣＤパネルを共用し、ＬＣＤパネルの表側及び裏側近傍において、主表示部の視認用と副表示部の視認用に別々に設置され、且つ、独立して制御できる導光板でなる発光ユニットを有する。
【００１３】
主表示部と副表示部の２つの表示部を有し、副表示部が主表示部の背面に設置される構造を有する折畳み式携帯電話機において、主表示部と副表示部は情報を表示するための全透過型の単一のＬＣＤパネルを共用するとともに、前記ＬＣＤパネルの主表示部側と副表示部側にそれぞれ導光板を用いたバックライトを備える。
【００１４】
ＬＣＤパネルの表側及び裏側近傍に設置され、光の透過または抑制等の光透過特性を制御可能なパネル状のデバイスを設けることで、第三者への表示内容の漏洩及び背景等の映り込みを防止する。複雑なＬＣＤデバイスを使用せず装置全体のコンパクトさに大きな影響を与えることなく、視認性の高い表・裏面表示を実現する。
【発明の効果】
【００１５】
本発明によれば２画面表示に全透過型の液晶を使用した一枚のＬＣＤパネルと導光板の使用により、視認特性が良好で２画面ともに同表示サイズの表示部を有し、重量が軽減され部材コストの低減を図れる折畳み式携帯端末を実現することが可能である。
【００１６】
この結果、従来のように２画面表示においてもそれぞれに設けられていた専用のＬＣＤパネル及び駆動ドライバの設置が不要となるとともに、副表示部への表示にも表示データの上下を反転させることで対応できる為、表示制御のためのソフトウェア上の対応も容易である。
【００１７】
更に、１表示デバイスによる表示部構成により、部品点数の削減、及び表示モード減少（１サイズ表示）等により、表示部の制御回路や制御ソフトを簡略化でき装置の信頼性向上に寄与する。
【発明を実施するための最良の形態】
【００１８】
（第１の実施の形態）
（構成の説明）
本発明の折畳み式携帯端末としての携帯電話機を例とする第１の実施の形態を説明する。図１は本実施の形態の折畳み式携帯電話機の表示部の構成の要部を示す図である。  
【００１９】
携帯電話機１０１は折畳み式携帯電話機であり、折り畳む為の可動部（ヒンジ部）を境にして数字等を入力するキー入力部を有する筺体ユニット（ＬＯＷＥＲユニットという）１０２と、表示部を有する筺体ユニット（ＵＰＰＥＲユニットという）１０３とから構成される。ここで、ＵＰＰＥＲユニット１０３及びＬＯＷＥＲユニット１０２は、それぞれ折り畳んだ状態で外側となるカバーと内側となるケースとが係合して構成され電子回路、電子機器等を内蔵する筐体である。
【００２０】
図２はＵＰＰＥＲユニット１０３のほぼ中央部をヒンジ軸と同一向に切断した断面を示す図である。ＵＰＰＥＲユニット１０３は、主スクリーン２０１、主発光ユニット（主ライトユニット）２０２、ＬＣＤパネル２０３、副発光ユニット（副ライトユニット）２０４、副スクリーン２０５、ケース２０６及びカバー２０７で構成される。
【００２１】
主スクリーン２０１及び副スクリーン２０５は、ＬＣＤパネルの保護及び筺体内への防塵機能を有する表示用の筺体の光学的開口部であり透明な板材が用いられる。樹脂板の切削または金型等による樹脂の成形により所定の形状構造とした板材である。ＬＣＤパネル２０３は全透過型の液晶表示デバイスであり透過光により両面から表示内容の視認が可能である。主ライトユニット２０２及び副ライトユニット２０４は、発光体であるＬＥＤ(発光ダイオード)等からの光をＬＣＤパネル側への反射、散乱機能を有する導光板で構成され、ＬＥＤに供給する電流のＯＮ／ＯＦＦの制御により、全透過型のＬＣＤパネル２０３のＯＮ／ＯＦＦ機能を有するバックライトを構成する。
【００２２】
導光板は断面が光を反射、散乱する微細な鋸歯状などの表面形状を有する板面を有し直角方向に透明性のある透明板で構成される。ＬＥＤはこの透明板の一辺の端部に当該透明板の内部に板面と平行方向に光を拡散する方向に設けられ、発光したＬＥＤからの光は透明板内を拡散し、板面の鋸歯状などの表面形状により当該板面から反対側の板面方向に光を散乱する特性を有する。主ライトユニット２０２及び副ライトユニット２０４は、ＬＥＤの点灯時に全透過型の液晶表示デバイスの面光源としてバックライト機能を有する。
【００２３】
図３はＵＰＰＥＲユニット１０３のより具体的な構成を示す図である。主ライトユニット２０２及び副ライトユニット２０４は、それぞれ主スクリーン２０１及び副スクリーン２０５の側に鋸歯状の板面を配置した導光板とそれぞれの端部に設けたＬＥＤ３０１及びＬＥＤ３０２で構成される。
【００２４】
本実施の形態の折畳み式携帯電話機の筺体の内外には、折畳み式携帯電話機を閉じた状態と開いた状態等を検出するスイッチ、バックライトのオン／オフ状態を制御する手動スイッチ等を備えるとともに、筺体内部には表示文字、表示画像等の画像処理、表示用のバックライトの制御用のＣＰＵ（中央処理装置）、プログラムを記憶するＲＯＭ、表示情報記憶用のＲＡＭ等のメモリ等でなる処理回路を備える。筺体の前面の主表示部と背面の副表示部の表示がユーザから見て携帯電話機の折り畳み時に逆転することを考慮し、常にユーザの表示確認の際に上下又は左右が正しく表示されるように、主に副表示部の表示を制御する制御機能を有する。例えば主表示部と副表示部の表示が上下方向又は左右方向に互いに反転した状態になるよう制御する機能を有する。
【００２５】
（動作の説明）
以下、図１、２、３を参照して第１の実施の形態の動作を説明する。  
本実施の形態の折畳み式携帯電話機のＬＣＤパネル２０３は全透過式の表示デバイスである為、表・裏のどちらから投光しても光は透過する為、主ライトユニット２０２及び副ライトユニット２０４の電源のＯＮ／ＯＦＦ状態を制御することにより、主表示部１０４及び副表示部１０５のいずれの表示内容も透過光により鮮明に視認することを可能とする。
【００２６】
例えばユーザが携帯電話機の筺体を開いて主表示部１０４の表示内容を見る場合、ＣＰＵは携帯電話機１０１が折り畳んだ状態から開かれた状態になったことを判断し、開かれた状態を認識すると主ライトユニット２０２の電源をＯＦＦにし、副ライトユニット２０４の電源をＯＮにする。ユーザは副ライトユニット２０４からのバックライトの透過光により主表示部の表示内容を視認でき各種の操作等が可能となる。また、携帯電話機を閉じた状態で副表示部１０５を見る場合、ＣＰＵは閉じた状態を認識し、主ライトユニット２０２の電源をＯＮにし、副ライトユニット２０４の電源をＯＦＦにする。ユーザは主ライトユニット２０４からのバックライトの透過光により副表示部の表示内容が視認でき必要により各種の操作等が可能となる。
【００２７】
ここで、主表示部１０４を見る場合を通常の表示状態と仮定すると、副表示部１０５を見る場合は携帯電話機の長手方向に筺体を開くことにより表示内容が上下逆転することから、副表示部１０５の表示内容を上下反転させることにより、副表示部１０５の表示をユーザ側からみて正常に表示するように表示制御を行い、１枚のＬＣＤパネルで常に正しく表示内容を視認することを可能とする。
【００２８】
（第２の実施の形態）
次に本発明の折畳み式携帯端末の第２の実施の形態について説明する。  
図４は第２の実施の形態の構成を示す断面図である。本実施の形態は、導光板をスクリーンとライトユニットに兼用した主スクリーン兼ライトユニット４０１及び副スクリーン兼ライトユニット４０３を図２に示す主スクリーン２０１及び副スクリーン２０５の代わりに使用するように構成し、構成部品点数の削減を可能としたものである。
【００２９】
本実施の形態のＵＰＰＥＲユニットは、図４に示す断面構成のように、主スクリーン兼ライトユニット４０１、ＬＣＤパネル２０２、副スクリーン兼ライトユニット４０３、ケース２０４、カバー２０５で構成される。
【００３０】
主スクリーン兼ライトユニット４０１及び副スクリーン兼ライトユニット４０３は、ＬＥＤ等の発光体を有する導光板で構成されており、この導光板は樹脂で成形されている為、形状には自由度がある。このような導光板の特性を利用し、折畳み式携帯電話機の表示部のスクリーンに求められる所望の表面及び輪郭形状のスクリーンを構成することが可能である。主スクリーン兼ライトユニット４０１及び副スクリーン兼ライトユニット４０３としては、例えば、図３に示す構造の導光板が使用できる。
【００３１】
図５はＰＰＥＲユニットの断面構造を示す図であり、主スクリーン兼ライトユニット及び副スクリーン兼ライトユニットの他の構成を示す図である。鋸歯状等の凹凸を有する板面側にその材料の屈折率と異なる屈折率の透明材料で覆った外表面構造を有する主スクリーン兼ライトユニット５０４及び副スクリーン兼ライトユニット５０５を使用したものであり、ＬＥＤから拡散した光は板面の鋸歯状などの表面形状において透明材料との屈折率の差により前記表面形状の板面からＬＥＤパネル２０２方向に光を散乱するような特性を持たせている。
【００３２】
本実施の形態によれば、折畳み式携帯電話機の部品点数の削減と同時に、装置の薄型化に寄与し、デザインの自由度をも広げることが可能となる。
【００３３】
（第３の実施の形態）
以上の実施の形態においては、携帯電話機が開いている状態で使用する場合、副表示部側からも上下が反転した状態で見えてしまうおそれがある。これは実使用上は問題ないと思われるが情報の漏洩という観点からは好ましくない。また、折り畳んだ状態での使用時、つまり副表示部側を見る時にはＬＯＷＥＲユニットのキーボード面が透けて見えてしまい、情報が読み取りにくい可能性がある。第３の実施の形態はこのような問題を解消するように構成したものである。
【００３４】
図６は第３の実施の形態の構成を示す図である。図２、３に示す第１、２の実施の形態の主スクリーン２０１及び副スクリーン２０５をそれぞれ液晶シャッターなどのパネル状のシャッターデバイス６０１、６０２に置き換えた構成とする。シャッターデバイス６０１、６０２は、電源の制御によりデバイス自身を透明又は不透明に変化させ、光の透過状態を切り替える機能を有する。また、ＬＣＤパネルとスクリーンを有する第１の実施の形態の構造において、ＬＣＤパネルと主スクリーン及び副スクリーンの間に配置することが可能である。
【００３５】
第３の実施の形態により、主表示部による表示の際は、副表示部側のシャッターデバイスを不透明にすることで、副表示部側から表示内容が見えないようにすることができ、表示内容を保護することができプライバシーの保護を可能とする。また、副表示部による表示の際は、主表示部側のシャッターデバイスを不透明にすることで、キーボード面が見えなくなり表示情報の視認性を向上することが可能である。
【００３６】
以上の実施の形態において、折畳み式携帯電話機として筺体の上下方向（長手方向）の折畳み式の構造のものを使用した構成例により説明したが、本発明は筺体の左右方向の折畳み式の折畳み式携帯端末についても適用可能である。また、その場合の主表示部と副表示部の表示は互いに左右反転させることにより１つの表示デバイスによる表示を可能とする。
【図面の簡単な説明】
【００３７】
【図１】本発明の折畳み式携帯電話機の外観を示す図である。
【図２】本発明の折畳み式携帯電話機の第１の実施の形態の構成を示す図である。
【図３】本発明の折畳み式携帯電話機の第１の実施の形態の詳細構成を示す図である。
【図４】本発明の折畳み式携帯電話機の第２の実施の形態の構成を示す図である。
【図５】本発明の折畳み式携帯電話機の第２の実施の形態の詳細構成を示す図である。
【図６】本発明の折畳み式携帯電話機の第３の実施の形態の構成を示す図である。
【図７】従来の折畳み式携帯電話機の構成を示す図である。
【符号の説明】
【００３８】
１０１  折畳み式携帯電話機
１０２  筺体ユニット（ＬＯＷＥＲユニット）
１０３  筺体ユニット（ＵＰＰＥＲユニット）
１０４  主（前面）表示部
１０５  副（背面）表示部
２０１  主スクリーン
２０５  副スクリーン
２０２  主発光ユニット（主ライトユニット）
２０４  副発光ユニット（副ライトユニット）
２０３  全透過型の液晶パネル（ＬＣＤパネル）
２０６  ケース
２０７  カバー
３０１、３０２、５０４、５０５  ＬＥＤ
４０１  主スクリーン兼ライトユニット
４０３  副スクリーン兼ライトユニット
６０１、６０５  シャッターデバイス
【図１】
2005184147.tif 000003
【図２】
2005184147.tif 000004
【図３】
2005184147.tif 000005
【図４】
2005184147.tif 000006
【図５】
2005184147.tif 000007
【図６】
2005184147.tif 000008
【図７】
2005184147.tif 000009